(57)【要約】【課題】コネクタの嵌合、離脱に必要な力を低減し、かつコネクタの嵌合作業を煩雑にすることなくコネクタの半嵌合状態を検知することができるコネクタの嵌合構造および電気接続箱を提供することを。【解決手段】二つの操作レバー付きコネクタ１０Ａ，１０Ｂと、複数嵌合型コネクタ６０とのコネクタの嵌合構造１において、二つの操作レバー付きコネクタ１０Ａ，１０Ｂは、嵌合される場合、各操作レバー２０Ａ，２０Ｂの回動操作方向が互いの操作部２４Ａ，２４Ｂが近づく向きに回動されるように設定されてなり、後に嵌合される操作レバー付きコネクタ１０Ｂの操作部２４Ｂは、先に嵌合される操作レバー付きコネクタ１０Ａが未嵌合の場合、嵌合のための回動操作の途中で、先に嵌合される操作レバー付きコネクタ１０Ａの操作部２４Ａに当接される半嵌合検知用当接部３０を有してなる。【選択図】図１
2014049360.tif 000002
【特許請求の範囲】
【請求項１】
一端側に回動支点が設けられ、他端側に操作部が設けられてなる操作レバーがコネクタハウジングに回動自在に取り付けされてなる二つの操作レバー付きコネクタと、各操作レバー付きコネクタの前記コネクタハウジングが前記操作レバーの回動操作によって嵌合される二つの嵌合凹部が設けられてなる複数嵌合型コネクタとのコネクタの嵌合構造において、
前記二つの操作レバー付きコネクタは、
前記二つの嵌合凹部のそれぞれに前記コネクタハウジングが嵌合される場合、各操作レバーの回動操作方向が互いの前記操作部が近づく向きに回動されるように設定されてなり、
前記二つの操作レバー付きコネクタのうち、後に嵌合される前記操作レバー付きコネクタの前記操作部は、
先に嵌合される前記操作レバー付きコネクタの前記コネクタハウジングと前記嵌合凹部とが未嵌合の場合、嵌合のための回動操作の途中で、前記先に嵌合される操作レバー付きコネクタの前記操作部に当接される半嵌合検知用当接部を有してなることを特徴とするコネクタの嵌合構造。
【請求項２】
前記半嵌合検知用当接部は、
前記後に嵌合される前記操作レバー付きコネクタの前記操作レバーが嵌合完了操作位置まで回動操作された場合、前記先に嵌合される操作レバー付きコネクタの前記操作レバーが嵌合完了操作位置まで回動されるように前記先に嵌合される操作レバー付きコネクタの前記操作部に当接されることを特徴とする請求項１に記載のコネクタの嵌合構造。
【請求項３】
前記半嵌合検知用当接部は、
前記嵌合凹部に後に嵌合される操作レバー付きコネクタの前記操作部に一体的に設けられてなることを特徴とする請求項１または２に記載のコネクタの嵌合構造。
【請求項４】
前記二つの操作レバー付きコネクタの操作レバーは、
前記半嵌合検知用当接部を除く部分が同一形状をなし、
前記半嵌合検知用当接部は、
前記操作レバーに対して着脱可能に設けられてなることを特徴とする請求項１または２に記載のコネクタの嵌合構造。
【請求項５】
電気部品が集約して構成されてなる電気接続箱において、
請求項１−４に記載の前記コネクタの嵌合構造が組み込まれてなることを特徴とする電気接続箱。
【発明の詳細な説明】
【技術分野】
【０００１】
本発明は、二つの操作レバー付きコネクタと、操作レバーの回動操作によって嵌合される二つの嵌合凹部が設けられてなる複数嵌合型コネクタとのコネクタの嵌合構造およびこのコネクタの嵌合構造が組み込まれた電気接続箱に関する。
【背景技術】
【０００２】
従来、例えば自動車に搭載されているモータ等の電子機器に電力を供給するため、コネクタ、リレー、ヒューズ等の電気部品が集約して構成されてなる電気接続箱に組み込まれるコネクタの嵌合構造として、操作レバーの回動操作によるカム機構の作用によってコネクタの嵌合、離脱に必要な力を低減させるようにした操作レバー付きコネクタが提案されている（例えば、特許文献１参照）。
【０００３】
特許文献１に記載された操作レバー付きコネクタは、二つの操作レバー付きコネクタと、操作レバーの回動操作によって嵌合される二つの嵌合凹部が設けられてなる複数嵌合型コネクタとのコネクタの嵌合構造に関するものであり、第１のコネクタハウジング（複数嵌合型コネクタのコネクタハウジング）にスライド自在な検知部材が設けられ、この検知部材を二つの嵌合凹部の嵌合口周辺でスライド移動させることによって、コネクタ嵌合が完了されているが、否かを検知するようにしている。
【先行技術文献】
【特許文献】
【０００４】
【特許文献１】特開２０１０−９８４３号公報
【発明の概要】
【発明が解決しようとする課題】
【０００５】
しかしながら特許文献１に記載の操作レバー付きコネクタを用いたコネクタの嵌合構造では、検知部材のスライド移動操作を行うことによってコネクタの半嵌合状態を検知する必要があるため、コネクタの嵌合作業が煩雑になるという問題があった。
【０００６】
本発明は、上記に鑑みてなされたものであって、コネクタの嵌合、離脱に必要な力を低減し、かつコネクタの嵌合作業を煩雑にすることなくコネクタの半嵌合状態を検知することができるコネクタの嵌合構造および電気接続箱を提供することを目的とする。
【課題を解決するための手段】
【０００７】
上述した課題を解決し、目的を達成するために、本発明の請求項１に係るコネクタの嵌合構造は、一端側に回動支点が設けられ、他端側に操作部が設けられてなる操作レバーがコネクタハウジングに回動自在に取り付けされてなる二つの操作レバー付きコネクタと、各操作レバー付きコネクタの前記コネクタハウジングが前記操作レバーの回動操作によって嵌合される二つの嵌合凹部が設けられてなる複数嵌合型コネクタとのコネクタの嵌合構造において、前記二つの操作レバー付きコネクタは、前記二つの嵌合凹部のそれぞれに前記コネクタハウジングが嵌合される場合、各操作レバーの回動操作方向が互いの前記操作部が近づく向きに回動されるように設定されてなり、前記二つの操作レバー付きコネクタのうち、後に嵌合される前記操作レバー付きコネクタの前記操作部は、先に嵌合される前記操作レバー付きコネクタの前記コネクタハウジングと前記嵌合凹部とが未嵌合の場合、嵌合のための回動操作の途中で、前記先に嵌合される操作レバー付きコネクタの前記操作部に当接される半嵌合検知用当接部を有してなることを特徴とする。
【０００８】
また、本発明の請求項２に係るコネクタの嵌合構造は、上記の発明において、前記半嵌合検知用当接部は、前記後に嵌合される前記操作レバー付きコネクタの前記操作レバーが嵌合完了操作位置まで回動操作された場合、前記先に嵌合される操作レバー付きコネクタの前記操作レバーが嵌合完了操作位置まで回動されるように前記先に嵌合される操作レバー付きコネクタの前記操作部に当接されることを特徴とする。
【０００９】
また、本発明の請求項３に係るコネクタの嵌合構造は、上記の発明において、前記半嵌合検知用当接部は、前記嵌合凹部に後に嵌合される操作レバー付きコネクタの前記操作部に一体的に設けられてなることを特徴とする。
【００１０】
また、本発明の請求項４に係るコネクタの嵌合構造は、上記の発明において、前記二つの操作レバー付きコネクタの操作レバーは、前記半嵌合検知用当接部を除く部分が同一形状をなし、前記半嵌合検知用当接部は、前記操作レバーに対して着脱可能に設けられてなることを特徴とする。
【００１１】
上述した課題を解決し、目的を達成するために、本発明の請求項５に係る電気接続箱は、電気部品が集約して構成されてなる電気接続箱において、請求項１−４に記載の前記コネクタの嵌合構造が組み込まれてなることを特徴とする。
【発明の効果】
【００１２】
本発明の請求項１に係るコネクタの嵌合構造は、前記二つの操作レバー付きコネクタが前記操作レバーを回動操作することによって、コネクタの嵌合、離脱に必要な力を低減させるとともに、前記先に嵌合される操作レバー付きコネクタのコネクタハウジングと嵌合凹部とが半嵌合であった場合、後に嵌合される前記操作レバー付きコネクタの前記半嵌合検知用当接部が、嵌合のための回動操作の途中で、前記先に嵌合される操作レバー付きコネクタの前記操作部に当接されるので、前記後に嵌合される操作レバー付きコネクタの操作レバーが嵌合のために回動操作されるだけで、前記先に嵌合された操作レバー付きコネクタのコネクタハウジングと前記嵌合凹部とが半嵌合であることを検知することができ、結果的に、コネクタの嵌合、離脱に必要な力を低減し、かつコネクタの嵌合作業を煩雑にすることなくコネクタの半嵌合状態を検知することができる。
【００１３】
本発明の請求項２に係るコネクタの嵌合構造は、前記後に嵌合される前記操作レバー付きコネクタの前記操作レバーが嵌合完了操作位置まで回動操作されることによって、前記先に嵌合される操作レバー付きコネクタの前記コネクタハウジングが前記嵌合凹部に確実に嵌合完了されるので、前記先に嵌合される前記操作レバー付きコネクタ、および前記後に嵌合される前記操作レバー付きコネクタの各コネクタハウジングを対応される前記嵌合凹部に確実に嵌合完了させることができる。
【００１４】
本発明の請求項３に係るコネクタの嵌合構造は、前記半嵌合検知用当接部を前記操作レバーとは別部品とする必要がないので、部品点数を少なく抑えることができる。
【００１５】
本発明の請求項４に係るコネクタの嵌合構造は、前記半嵌合検知用当接部を除く部分が同一形状をなす前記二つの操作レバー付きコネクタの操作レバーに対して前記半嵌合検知用当接部が着脱されることによって前記二つの操作レバー付きコネクタの操作レバーの前記半嵌合検知用当接部を除く部分を共有することができるので、部品コストを抑えることができる。
【００１６】
本発明の請求項５に係る電気接続箱は、請求項１−４に記載の前記コネクタの嵌合構造が組み込まれてなるので、請求項１−４に記載の前記コネクタの嵌合構造と同様な効果を奏することができる。
【図面の簡単な説明】
【００１７】
【図１】図１は、本発明の実施例に係るコネクタの嵌合構造周辺の側面図および電気接続箱の一部を示した図であり、二つの操作レバー付きコネクタのコネクタハウジングが各嵌合凹部に嵌合される前の状態を示した図である。
【図２】図２は、本発明の実施例に係るコネクタの嵌合構造周辺の側面図および電気接続箱の一部を示した図である。
【図３】図３は、図１に示した嵌合検知用当接部を有してなる操作レバー付きコネクタを斜め上方から視た図である。
【図４】図４は、図１に示した嵌合検知用当接部を有してなる操作レバーを斜め下方から視た図である。
【図５】図５は、二つの操作レバー付きコネクタのコネクタハウジングを各嵌合凹部に嵌合させる手順を示した図である。
【図６】図６は、後嵌合操作レバー付きコネクタのコネクタハウジングが嵌合完了されることによって、先嵌合操作レバー付きコネクタのコネクタハウジングが半嵌合状態から嵌合完了される動作を説明するための図である。
【図７】図７は、発明の実施例に係るコネクタの嵌合構造の変形例のコネクタの嵌合構造および電気接続箱の一部を示した図ある。
【発明を実施するための形態】
【００１８】
以下、図面を参照して、本発明に係るコネクタの嵌合構造および電気接続箱の好適な実施例を詳細に説明する。
【実施例】
【００１９】
図１は、本発明の実施例に係るコネクタの嵌合構造１周辺の側面図および電気接続箱１００の一部を示した図であり、二つの操作レバー付きコネクタ１０Ａ，１０Ｂのコネクタハウジング４０，４０が各嵌合凹部６１，６１に嵌合される前の状態を示した図である。図２は、本発明の実施例に係るコネクタの嵌合構造１周辺の側面図および電気接続箱の一部を示した図である。図３は、図１に示した半嵌合検知用当接部３０を有してなる操作レバー付きコネクタ１０Ｂを斜め上方から視た図である。図４は、図１に示した半嵌合検知用当接部３０を有してなる操作レバー２０Ｂを斜め下方から視た図である。
なお、本発明の実施例では説明の便宜上、図中に示すように上下方向を定義する。
本発明の実施例に係るコネクタの嵌合構造１は、二つの操作レバー付きコネクタと、各操作レバー付きコネクタのコネクタハウジングが嵌合される二つの嵌合凹部が設けられてなる複数嵌合型コネクタとを有してなる。このコネクタの嵌合構造１は、自動車に搭載されているモータ等の電子機器に電力を供給するため、コネクタ、リレー、ヒューズ等の電気部品が集約して構成されてなる電気接続箱１００に組み込まれている。
【００２０】
まず、二つの操作レバー付きコネクタ１０Ａ，１０Ｂについて説明する。二つの操作レバー付きコネクタ１０Ａ，１０Ｂは、一端側に回動支点２２ａ，２２ｂが設けられ、他端側に操作部２４Ａ，２４Ｂが設けられてなる操作レバー２０Ａ，２０Ｂがコネクタハウジング４０，４０に回動可能に取り付けされてなる。
【００２１】
二つの操作レバー付きコネクタ１０Ａ，１０Ｂは、二つの嵌合凹部６１，６１のそれぞれにコネクタハウジング４０，４０が嵌合される場合、各操作レバー２０Ａ，２０Ｂの回動操作方向が互いの操作部２４Ａ，２４Ｂが近づく向きに回動されるように設定されてなる。このような二つの操作レバー付きコネクタ１０Ａ，１０Ｂは、コネクタハウジング４０が嵌合凹部６１に先に嵌合される操作レバー付きコネクタ１０Ａ（以下、「先嵌合操作レバー付きコネクタ」という。）と、嵌合凹部６１に後に嵌合される操作レバー付きコネクタ１０Ｂ（以下、「後嵌合操作レバー付きコネクタ」という。）に分けられる。
【００２２】
ここで、後嵌合操作レバー付きコネクタ１０Ｂについて具体的に説明する。
まず、操作レバー２０Ｂについて説明する。
操作レバー２０Ｂは、図４に示すように、板状をなし、互いに平面を向かい合わせて配置された一対のレバー側板部２１と、各レバー側板部２１の一端側に回動支点としての回動支点用孔部２２ａ，２２ｂ、およびカム突起部２３が設けられ、他端側を連接するようにして操作部２４Ｂが設けられたＵ字形状をなす。
【００２３】
回動支点用孔部２２ａ，２２ｂは、コネクタハウジング４０の外表面から突出された回動支点としての回動支点用突部４０ａ，４０ｂが孔内に嵌め込まれることによって、操作レバー２０Ｂの回動支点として機能するようになっている。
【００２４】
カム突起部２３は、嵌合凹部６１内に形成された後述するカム溝６１ｂに嵌め込まれることによってカム機構として機能されるようになっている。
【００２５】
操作部２４Ｂの裏面には、下方に向けて片持ち片状に突出されてなる弾性ロックアーム２５が設けられ、この弾性ロックアーム２５が嵌合凹部６１内面から突起された係合突起部６１ａに係合されることによって操作レバー２０Ｂが嵌合完了操作位置で係止されるようになっている。すなわち、弾性ロックアーム２５は、係合突起部６１ａと係合されることによって後嵌合操作レバー付きコネクタ１０Ｂのコネクタハウジング４０と嵌合凹部６１とを嵌合状態で固定させるものである。
【００２６】
また、後嵌合操作レバー付きコネクタ１０Ｂの操作部２４Ｂは、先嵌合操作レバー付きコネクタ１０Ａのコネクタハウジング４０と嵌合凹部６１とが未嵌合の場合、嵌合のための回動操作の途中で、先嵌合操作レバー付きコネクタ１０Ａの操作部２４Ａに当接される半嵌合検知用当接部３０を有してなる。
【００２７】
半嵌合検知用当接部３０は、後嵌合操作レバー付きコネクタ１０Ｂの操作部２４Ｂに一体的に設けられてなる。より具体的には、半嵌合検知用当接部３０が設けられる操作部２４Ｂは、上面が嵌合方向に直交する方向の端縁面２４ｂに向けて上り傾斜面となり、端縁面２４ｂの周辺の嵌合方向の幅が先嵌合操作レバー付きコネクタ１０Ａの操作部２４Ａの端縁面２４ａの嵌合方向の幅に比して半嵌合検知用当接部３０の厚み分だけ増大された幅に設定されている。半嵌合検知用当接部３０は、このように操作部２４Ａに比して嵌合方向の幅が増大された操作部２４Ｂの端縁面２４ｂ上部から嵌合方向に直交する方向に板状に突設されてなる。
このため、半嵌合検知用当接部３０は、操作レバー２０Ｂが嵌合完了操作位置まで回動操作させた場合、下面が先嵌合操作レバー付きコネクタ１０Ａの操作部２４Ａの上面に当接されるようになっている。
このような半嵌合検知用当接部３０は、後嵌合操作レバー付きコネクタ１０Ｂの操作レバー２０Ｂが嵌合完了操作位置まで回動操作された場合、先嵌合操作レバー付きコネクタ１０Ａの操作レバー２０Ａが嵌合完了操作位置まで回動されるように先嵌合操作レバー付きコネクタ１０Ａの操作部２４Ａに当接される。
【００２８】
次に、コネクタハウジング４０について説明する。
コネクタハウジング４０は、雄型のコネクタハウジングであり、図３に示すように、内部に複数の端子収容室４１が設けられ、各端子収容室４１に端子付き電線５０の端子が保持収容されるようになっている。
このコネクタハウジング４０は、嵌合凹部６１内に形成されたガイド溝６２ｃにスライド可能に挿入されるガイド用リブ４２が設けられている。このガイド用リブ４２がガイド溝６２ｃに挿入されることによって、コネクタハウジング４０が嵌合方向にガイド移動されるガイド機構として機能される。
【００２９】
なお、先嵌合操作レバー付きコネクタ１０Ａは、操作部２４Ａの構成が異なる以外は後嵌合操作レバー付きコネクタ１０Ｂとほぼ同様な構成であるため、後嵌合操作レバー付きコネクタ１０Ｂと同一構成部分には同一符号を付してその説明を省略する。
先嵌合操作レバー付きコネクタ１０Ａは、操作レバー２０Ａが嵌合のための回動方向に回動される場合、操作部２４Ａが操作部２４Ｂに近づく向きに回動されるように設定されてなる。
操作レバー２０Ａは、操作部２４Ｂに代わって操作部２４Ａを有してなる点で操作レバー２０Ｂと異なる。
操作部２４Ａは、操作部２４Ｂと異なり、半嵌合検知用当接部３０を有しない構成となっている。このため、上述したように端縁面２４ａの嵌合方向の幅が端縁面２４ｂの周辺の嵌合方向の幅に比して小さく設定され、操作部２４Ｂの端縁面２４ｂ上部から嵌合方向に直交する方向に突設された半嵌合検知用当接部３０の下面が操作部２４Ａの上面に当接されるようになっている。
【００３０】
次に、複数嵌合型コネクタ６０について説明する。
複数嵌合型コネクタ６０は、図１−図３に示すように電気接続箱１００に組み込まれ、二つの操作レバー付きコネクタ１０Ａ，１０Ｂの各操作レバー付きコネクタ１０Ａ，１０Ｂのコネクタハウジング４０，４０が操作レバー２０Ａ，２０Ｂの回動操作によって嵌合される二つの嵌合凹部６１，６１が設けられてなる。
【００３１】
各嵌合凹部６１はコネクタハウジング４０が内嵌合される雌型コネクタハウジングとして機能され、二つの嵌合凹部６１，６１は、その外郭が一体型ハウジング６２によって一体的に形成されてなる。
また、各嵌合凹部６１は、嵌合されるコネクタハウジング４０内に保持された不図示の複数の端子に接続される不図示の複数の相手接続端子が保持されている。この不図示の複数の相手接続端子は、電気接続箱１００内に設置された不図示の回路基板等に接続される。
【００３２】
また、各嵌合凹部６１内には、図３に示すように、係合突起部６１ａと、カム溝６２ｂと、ガイド溝６２ｃとが形成されている。
係合突起部６１ａは、嵌合凹部６１に嵌合される操作レバー付きコネクタ１０Ａ，１０Ｂの操作レバー２０Ａ，２０Ｂの弾性ロックアーム２５が係合されることによって、操作レバー２０Ａ，２０Ｂを嵌合完了操作位置で係止するものである。
カム溝６１ｂは、カム突起部２３が嵌め込めこまれることによってカム機構として機能される溝である。
ガイド溝６２ｃは、嵌合方向に沿って嵌合凹部６１の嵌入口から凹部底面に向けて形成された溝であり、ガイド用リブ４２が挿入されることによって、コネクタハウジング４０を嵌合方向にガイドするように機能される溝である。
【００３３】
このようなコネクタの嵌合構造１は、操作レバー２０Ａ，２０Ｂの回動操作によるカム機構の作用によってコネクタの嵌合、離脱に必要な力が低減されるようになっている。
なお、二つの操作レバー付きコネクタ１０Ａ，１０Ｂは、図１および図３に示すように、操作レバー２０Ａ，２０Ｂがコネクタハウジング４０，４０に対して所定の回動位置で仮保持されるようになっている。これは、コネクタハウジング４０，４０が嵌合凹部６１，６１に嵌合開始される場合に、操作レバー２０Ａ，２０Ｂの回動位置調整を行うことなくカム突起部２３がカム溝６１ｂに嵌るようにするためである。
【００３４】
次に、図５および図６を用いて二つの操作レバー付きコネクタ１０Ａ，１０Ｂのコネクタハウジング４０，４０を各嵌合凹部６１，６１に嵌合させる手順について説明する。図５は、二つの操作レバー付きコネクタ１０Ａ，１０Ｂのコネクタハウジング４０，４０を各嵌合凹部６１，６１に嵌合させる手順を示した図である。図６は、後嵌合操作レバー付きコネクタ１０Ｂのコネクタハウジング４０が嵌合完了されることによって、先嵌合操作レバー付きコネクタ１０Ａのコネクタハウジング４０が半嵌合状態から嵌合完了される動作を説明するための図である。
【００３５】
まず、作業者は、先嵌合操作レバー付きコネクタ１０Ａを嵌合凹部６１に嵌合させる（図５（ａ）参照）。この工程では、操作レバー２０Ａを所定の回動位置で仮保持した状態で、コネクタハウジング４０を嵌合凹部６１に嵌合開始し、ガイド用リブ４２の下端部がガイド溝６２ｃに挿入されたタイミングで、操作レバー２０Ａが回動開始される。
操作レバー２０Ａが回動開始されると、カム機構が作用されながらコネクタハウジング４０が嵌合方向に移動される。
ここで、先嵌合操作レバー付きコネクタ１０Ａのコネクタハウジング４０と嵌合凹部６１とが嵌合完了された場合、弾性ロックアーム２５と係合突起部６１ａとが係合される。もし、半嵌合状態の場合、弾性ロックアーム２５と係合突起部６１ａとが未係合状態となり、操作部２４Ａが嵌合のための回動方向とは逆方向側にズレて位置される。
【００３６】
その後、作業者は、後嵌合操作レバー付きコネクタ１０Ｂを嵌合凹部６１に嵌合させることによって二つの操作レバー付きコネクタ１０Ａ，１０Ｂのコネクタハウジング４０，４０を各嵌合凹部６１，６１に嵌合させる作業を完了させる（図５（ｂ），（ｃ）参照）。
ここで、後嵌合操作レバー付きコネクタ１０Ｂのコネクタハウジング４０と嵌合凹部６１とが嵌合完了された場合、弾性ロックアーム２５と係合突起部６１ａとが係合される。
もし、先嵌合操作レバー付きコネクタ１０Ａのコネクタハウジング４０が半嵌合状態の場合、後嵌合操作レバー付きコネクタ１０Ｂの操作部２４Ｂは、嵌合のための回動操作の途中で、先嵌合操作レバー付きコネクタ１０Ａの操作部２４Ａに当接される。より具体的には、上述のようにズレて位置される操作部２４Ａの上面（当接面Ｓ１）に半嵌合検知用当接部３０の下面（当接面Ｓ２）が当接され、操作部２４Ｂが嵌合のための回動方向とは逆方向側にズレて位置される。
【００３７】
この操作部２４Ｂのズレは、図６（ｂ）に示すように、当接面Ｓ１，Ｓ２の隙間によって目視されるため、作業者は、コネクタハウジング４０，４０と嵌合凹部６１，６１とが半嵌合状態であることが検知される。
【００３８】
この場合、作業者は、図６（ｂ）および図６（ｃ）に示すように、後嵌合操作レバー付きコネクタ１０Ｂの操作レバー２０Ｂを嵌合のための回動方向に向けてさらに回動させることによって、後嵌合操作レバー付きコネクタ１０Ｂの弾性ロックアーム２５と係合突起部６１ａとを係合させる。すなわち、作業者は、後嵌合操作レバー付きコネクタ１０Ｂの操作レバー２０Ｂを嵌合完了操作位置まで回動操作する。
これにより、操作部２４Ａの上面（当接面Ｓ１）が半嵌合検知用当接部３０の下面（当接面Ｓ２）に当接されながら操作レバー２０Ａが嵌合のための回動方向に向けて回動され、先嵌合操作レバー付きコネクタ１０Ａの弾性ロックアーム２５と係合突起部６１ａと係合され、コネクタハウジング４０，４０と嵌合凹部６１，６１とが嵌合完了される。
すなわち、半嵌合検知用当接部３０は、先嵌合操作レバー付きコネクタ１０Ａの操作レバー２０Ａが嵌合完了操作位置まで回動されるように先嵌合操作レバー付きコネクタ１０Ａの操作部２４Ａに当接される。
【００３９】
本発明の実施例に係るコネクタの嵌合構造１は、二つの操作レバー付きコネクタ１０Ａ，１０Ｂが操作レバーを回動操作２０Ａ，２０Ｂすることによって、コネクタの嵌合、離脱に必要な力を低減させるとともに、先嵌合操作レバー付きコネクタ１０Ａのコネクタハウジング４０と嵌合凹部６１とが半嵌合であった場合、後嵌合操作レバー付きコネクタ１０Ｂの半嵌合検知用当接部３０が、嵌合のための回動操作の途中で、先嵌合操作レバー付きコネクタ１０Ａの操作部２４Ａに当接されるので、後嵌合操作レバー付きコネクタ１０Ｂの操作レバー２０Ｂが嵌合のために回動操作されるだけで、先嵌合操作レバー付きコネクタ１０Ａのコネクタハウジング４０と嵌合凹部６１とが半嵌合であることを検知することができ、結果的に、コネクタの嵌合、離脱に必要な力を低減し、かつコネクタの嵌合作業を煩雑にすることなくコネクタの半嵌合状態を検知することができる。
【００４０】
また、本発明の実施例に係るコネクタの嵌合構造１は、後嵌合操作レバー付きコネクタ１０Ｂの操作レバー２０Ｂが嵌合完了操作位置まで回動操作されることによって、先嵌合操作レバー付きコネクタ１０Ａのコネクタハウジング４０が嵌合凹部６１に確実に嵌合完了されるので、先嵌合操作レバー付きコネクタ１０Ａ、および後嵌合操作レバー付きコネクタ１０Ｂの各コネクタハウジング４０，４０を対応される嵌合凹部６１，６１に確実に嵌合完了させることができる。
【００４１】
また、本発明の実施例に係るコネクタの嵌合構造１は、半嵌合検知用当接部３０を操作レバー２０Ｂとは別部品とする必要がないので、部品点数を少なく抑えることができる。
【００４２】
（変形例）
次に、図７を用いて本発明の実施例に係るコネクタの嵌合構造１の変形例について説明する。図７は、発明の実施例に係るコネクタの嵌合構造１の変形例のコネクタの嵌合構造２を示した図である。なお、図７（ａ）は本発明の実施例の変形例のコネクタの嵌合構造２周辺の側面図であり、半嵌合検知用当接部９０が離脱された状態を示した図である。また、図７（ｂ）は各コネクタハウジング４０，４０が各嵌合凹部６１，６１に嵌合完了された状態における各半嵌合検知用当接部９０周辺を拡大して示した図である。
この変形例のコネクタの嵌合構造２は、操作レバー付きコネクタ１０Ｂに代わって操作レバー付きコネクタ７０Ｂを有してなる点で実施例のコネクタの嵌合構造１と異なる。
なお、その他の構成は実施例と同様であり、実施例と同一構成部分には同一符号を付している。
【００４３】
操作レバー付きコネクタ７０Ｂは、操作レバー８０Ｂを有してなる。操作レバー８０Ｂは、半嵌合検知用当接部９０を除く部分が操作レバー２０Ａと同一形状をなし、半嵌合検知用当接部９０が操作レバー８０Ｂに対して着脱可能になっている。このため、操作レバー２０Ａに半嵌合検知用当接部９０を取り付けることによって、操作レバー８０Ｂとして利用することができる。
【００４４】
この変形例のコネクタの嵌合構造２は、本発明に実施例に係るコネクタの嵌合構造１と同様な効果を奏するとともに、半嵌合検知用当接部９０を除く部分が同一形状をなす二つの操作レバー付きコネクタ１０Ａ，７０Ｂの操作レバー２０Ａ，８０Ｂに対して半嵌合検知用当接部９０が着脱されることによって二つの操作レバー付きコネクタ１０Ａ，７０Ｂの操作レバーの半嵌合検知用当接部９０を除く部分を共有することができるので、部品コストを抑えることができる。
【００４５】
なお、本発明の実施例に係る電気接続箱１００は、コネクタの嵌合構造１，２が組み込まれてなるので、コネクタの嵌合構造１，２と同様な効果を奏することができる。
【００４６】
また、本発明の実施例に係るコネクタの嵌合構造１，２は、二つの操作レバー付きコネクタ１０Ａ，１０Ｂ，７０Ｂと、二つの操作レバー付きコネクタ１０Ａ，１０Ｂ，７０Ｂの各コネクタハウジング４０が嵌合される二つの嵌合凹部６１とを有してなる複数嵌合型コネクタ６０とのコネクタの嵌合構造１，２を例示したが、操作レバー付きコネクタ１０Ａ，１０Ｂ，７０Ｂの数、および嵌合凹部６１の数はこれに限らない。すなわち、二つで一組の操作レバー付きコネクタと、一組の操作レバー付きコネクタの各コネクタハウジングに嵌合される二つで一組の嵌合凹部とを有してなる複数嵌合型コネクタとのコネクタの嵌合構造であれば、例えば、二組みの操作レバー付きコネクタと、二組みの操作レバー付きコネクタコネクタハウジングに嵌合される二組みの嵌合凹部を有してなる複数嵌合型コネクタとのコネクタの嵌合構造であっても構わない。
【００４７】
また、本発明の実施例に係るコネクタの嵌合構造１，２は、カム機構がカム溝６１ｂ、およびカム突起部２３からなり、ガイド機構がガイド用リブ４２、およびガイド溝６２ｃからなるものを例示したが、カム機構およびガイド機構はこれに限定されない。すなわち、各操作レバー付きコネクタ１，２の各コネクタハウジング４０が各操作レバー２０Ａ，２０Ｂ，８０Ｂの回動操作によって各嵌合凹部６１に嵌合されるようになっていれば、その他のカム機構、およびガイド機構を用いても構わない。
【００４８】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４９】
１，２          コネクタの嵌合構造
１０Ａ，１０Ｂ，７０Ｂ  操作レバー付きコネクタ
２０Ａ，２０Ｂ，８０Ｂ  操作レバー
２１          レバー側板部
２２ａ，２２ｂ  回動支点用孔部（回動支点）
２３            カム突起部
２４Ａ，２４Ｂ  操作部
２４ａ，２４ｂ  端縁面
２５            弾性ロックアーム
３０，９０      半嵌合検知用当接部
４０            コネクタハウジング
４０ａ，４０ｂ  回動支点用突部（回動支点）
４１            端子収容室
４２            ガイド用リブ
５０            端子付き電線
６０            複数嵌合型コネクタ
６１            嵌合凹部
６１ａ          係合突起部
６１ｂ          カム溝
６２ｃ          ガイド溝
６２            一体型ハウジング
Ｓ１，Ｓ２      当接面
１００          電気接続箱
【図１】
2014049360.tif 000003
【図２】
2014049360.tif 000004
【図３】
2014049360.tif 000005
【図４】
2014049360.tif 000006
【図５】
2014049360.tif 000007
【図６】
2014049360.tif 000008
【図７】
2014049360.tif 000009